(57)【要約】【課題】別の給湯設備などからの高温給湯によって浴槽内の温度が高温となった場合でも、その旨を使用者へ告知して使用上の安全をさらに向上することができる貯湯式給湯機を提供すること。【解決手段】本発明の貯湯式給湯機は、貯湯タンクと、浴槽への給湯する注湯弁と、貯湯タンク内の高温湯と水とを混合する風呂給湯混合弁と、風呂給湯温度を検出する風呂給湯温度検出部と、浴槽水を加熱する熱交換器を有した二次側循環経路と、二次側循環経路に浴槽水を循環させる風呂循環ポンプと、二次側循環経路内を循環する浴槽水の温度を検出する風呂温度検出部と、浴槽の水位を検出する風呂水位検出部とを備え、水位検出部にて検出された水位が変化したときは、風呂循環ポンプを駆動して風呂温度検出部で浴槽温度を検出し、浴槽温度が所定温度以上のときは水を浴槽内へ供給し、浴槽温度が所定温度以下となるようにする。【選択図】図１
2011080682.tif 000002
【特許請求の範囲】
【請求項１】
湯を貯湯する貯湯タンクと、浴槽への給湯を開始および停止する注湯弁と、前記貯湯タンク内の高温湯と水とを混合する風呂給湯混合弁と、前記風呂給湯混合弁の下流に設けられ風呂給湯温度を検出する風呂給湯温度検出部と、浴槽水を加熱する熱交換器を有した二次側循環経路と、前記二次側循環経路に浴槽水を循環させる風呂循環ポンプと、二次側循環経路内を循環する浴槽水の温度を検出する風呂温度検出部と、浴槽の水位を検出する風呂水位検出部とを備え、前記水位検出部にて検出された水位が変化したときは、前記風呂循環ポンプを駆動して前記風呂温度検出部で浴槽温度を検出し、浴槽温度が所定温度以上のときは水を浴槽内へ供給し、浴槽温度が所定温度以下となるようにすることを特徴とする貯湯式給湯機。
【請求項２】
水を浴槽内へ供給する動作を「あり」もしくは「なし」と選択できることを特徴とする請求項１に記載の貯湯式給湯機。
【請求項３】
給湯運転の指示／各種運転情報の表示を行うリモコン装置を備え、浴槽温度が所定温度以上のときは、前記リモコン装置の情報を表示する表示部に、浴槽温度が高いという情報を可視的に表示することを特徴とする請求項１または２に記載の貯湯式給湯機。
【請求項４】
音声を報知する報知手段を有するリモコン装置を備え、浴槽温度が所定温度以上のときは、前記報知手段で浴槽温度が高いという情報を聴覚的に報知することを特徴とする請求項１または２に記載の貯湯式給湯機。
【発明の詳細な説明】
【技術分野】
【０００１】
本発明は、浴槽への湯張りが可能な貯湯タンクを有する貯湯式給湯機に関する。
【背景技術】
【０００２】
従来の貯湯式給湯機として図２に示すようなものがある。浴槽往き口１０４から浴槽までの間には、浴槽へ供給する湯の温度を設定温度にする風呂給湯混合弁２１と、浴槽２６への湯の供給の開閉を行う注湯弁２２が設けられており、注湯弁２２の開閉によって浴槽２６へ湯が供給される。そして風呂給湯混合弁２１の下流側には、風呂給湯混合弁２１で混合された湯の温度を検出する風呂給湯温度検出部２３が設けられており、風呂給湯温度検出部２３で検出される湯の温度が、設定温度となるように、風呂給湯混合弁２１が駆動される。
【０００３】
また、浴槽２６へ湯を供給するのとは別に、浴槽２６内の湯水を追い焚きするための熱交換器３０が設けられており、熱交換器３０は貯湯タンク２０内の高温水が流れる１次側回路と、浴槽２６内の湯水が流れる２次側回路で構成されている。
【０００４】
また、熱交換器３０における１次側回路には、貯湯タンク２０内の高温水が流入する熱交１次入り口１０５と、熱交換器３０から貯湯タンク２０へ出て行く熱交１次出口１０６を有し、一方、浴槽水が流れる２次側回路には、浴槽水の湯水を熱交換器３０に流入させる熱交２次入口１０７と、熱交換器３０から浴槽２６へ出て行く熱交２次出口１０８を有している。
【０００５】
また、浴槽２６から２次側回路へ湯を供給する配管を風呂往き配管１０９とし、２次側回路から浴槽２６へ湯が戻ってくる配管を風呂戻り配管１１０としている。
【０００６】
そして、１次側回路には、前記浴槽往き口１０４とは別口として貯湯タンク２０の上方部に設けられた熱交換器往き口１１１から高温水が供給されるとともに、熱交換器３０で放熱した後の温水を戻すために、貯湯タンク２０の下方部に熱交換器戻り口１１２を設けており、熱交換器往き口１１１と熱交換器戻り口１１２の間で貯湯タンク２０内の高温水を循環させるタンク循環回路を形成している。タンク循環回路には、タンク内の湯水を循環させるタンク循環ポンプ３１が設けられている。
【０００７】
一方、２次側回路では、浴槽２６から風呂往き配管１０９を通って、低温水が熱交換器３０へ供給されるとともに、熱交換器３０で貯湯タンク２０の高温水から熱をもらい、再度風呂戻り配管１１０を通って浴槽２６へ戻る。
【０００８】
また２次側回路には、浴槽２６内の湯水を循環させる風呂循環ポンプ２７が設けられている。また、風呂給湯混合弁２１から浴槽２６へ湯を供給する経路は、２次側回路へ接続されており、浴槽への湯張り時の湯張り経路は、２次側回路の風呂往き配管１０９と、風呂戻り配管１１０の両配管から、浴槽へ湯が供給されている。
【０００９】
以上のように構成された貯湯式給湯機について、まず、風呂自動で風呂にお湯をはる時には、本実施の形態では、風呂給湯温度検出部２３が注湯弁２２の下流に設けられており、風呂給湯温度検出部２３のさらに下流側で、２次側回路に合流している。
【００１０】
そして、貯湯タンク２０の湯と水道水を風呂給湯混合弁２１で混合させるとともに、注湯弁２２を開き、風呂給湯温度検出部２３が設定温度になるように風呂給湯混合弁２１を
調整して、風呂給湯経路２４と風呂給湯経路２５の２経路で浴槽２６に湯はりをする。
【００１１】
そして湯はりが完了し、風呂保温に入ると浴槽水吸い込み側の風呂循環ポンプ２７を作動させフロースイッチ２８で風呂にお湯があることを判断して風呂温度検出部２９が風呂設定温度より低い場合、熱交換器３０の一次側のタンク循環ポンプ３１を作動させ貯湯タンク２０の上部より熱交換器１次側循環経路３２にお湯を循環させ熱交換器３０の２次側循環経路３３のお湯へ熱交換して浴槽温度を上げ、熱交一次出口温度検出部３４、熱交換器３０の２次側出口の追い焚き温度検出部３５、風呂温度検出部２９の温度検出で最良の風呂追い焚きをする構成にしている。
【００１２】
以上のような動作をする貯湯式給湯機は公知であり、従来の技術では風呂給湯時の安全性を向上させるために、熱交換器３０の２次側出口の追い焚き温度検出部３５の温度も検出し、熱交換器３０の１次側のタンク循環ポンプ２７の電気回路が何かの不具合で連続作動になり、風呂循環経路Ｂ２５のお湯か熱交換され風呂設定温度より熱いお湯が給湯されようとした時、追い焚き温度検出部３５の温度が風呂給湯温度検出部２３の温度より８℃以上高い状態が３０秒以上継続した時に注湯弁２２を閉にして風呂給湯を停止する。
【００１３】
これにより風呂設定温度より高いお湯を風呂に給湯するのを防ぎ安全性が向上する。さらに、やけどが発生するような高温のお湯が注湯されたときつまり、風呂給湯中に上記したタンク循環ポンプ２７の不具合により追い焚き温度検出部３５の温度が６０℃以上の状態が１秒以上継続した時、風呂給湯混合弁２１の調整を水側全開に駆動するようにして風呂給湯経路Ｂ２５の温度をすばやく下げることにより、風呂には６０℃以上の温度のお湯がほとんど入らなくなるため、更に安全性を向上することができる（例えば、特許文献１参照）。
【先行技術文献】
【特許文献】
【００１４】
【特許文献１】特開２００９−１０３３５５号公報
【発明の概要】
【発明が解決しようとする課題】
【００１５】
しかしながら従来の貯湯式給湯機では、タンク循環ポンプの不具合によって、湯はり中の本給湯機から供給される湯温は検知することが可能であるが、例えば、湯はり運転完了後、別の給湯設備（例えば、温泉水やソーラー発電給湯機など）によって直接浴槽内へ高温水が供給された場合などは、即時に検知することが出来ない。
【００１６】
本発明は、上記従来の課題を解決するもので、別の給湯設備などからの高温給湯によって浴槽内の温度が高温となった場合でも、その旨を使用者へ告知して使用上の安全をさらに向上することができる貯湯式給湯機を提供することを目的とする。
【課題を解決するための手段】
【００１７】
前記従来の課題を解決するために、本発明の貯湯式給湯機は、湯を貯湯する貯湯タンクと、浴槽への給湯を開始および停止する注湯弁と、貯湯タンク内の高温湯と水とを混合する風呂給湯混合弁と、風呂給湯混合弁の下流に設けられ風呂給湯温度を検出する風呂給湯温度検出部と、浴槽水を加熱する熱交換器を有した二次側循環経路と、二次側循環経路に浴槽水を循環させる風呂循環ポンプと、二次側循環経路内を循環する浴槽水の温度を検出する風呂温度検出部と、浴槽の水位を検出する風呂水位検出部とを備え、水位検出部にて検出された水位が変化したときは、風呂循環ポンプを駆動して風呂温度検出部で浴槽温度を検出し、浴槽温度が所定温度以上のときは水を浴槽内へ供給し、浴槽温度が所定温度以下となるようにすることにより、別の給湯設備によって直接浴槽内へ高温水が供給された
場合でも即時に湯温を検出することが可能となり、さらに、浴槽内の湯温が高温となった場合、浴槽内の湯温を即時に下げることで使用者の安全性を向上させることが可能となる。
【発明の効果】
【００１８】
本発明は、別の給湯設備などからの高温給湯によって浴槽内の温度が高温となった場合でも、その旨を使用者へ告知して使用上の安全をさらに向上することができる貯湯式給湯機を提供することができる。
【図面の簡単な説明】
【００１９】
【図１】本発明の実施の形態１における貯湯式給湯機の構成図
【図２】従来の貯湯式給湯機の構成図
【発明を実施するための形態】
【００２０】
第１の発明の貯湯式給湯機は、湯を貯湯する貯湯タンクと、浴槽への給湯を開始および停止する注湯弁と、貯湯タンク内の高温湯と水とを混合する風呂給湯混合弁と、風呂給湯混合弁の下流に設けられ風呂給湯温度を検出する風呂給湯温度検出部と、浴槽水を加熱する熱交換器を有した二次側循環経路と、二次側循環経路に浴槽水を循環させる風呂循環ポンプと、二次側循環経路内を循環する浴槽水の温度を検出する風呂温度検出部と、浴槽の水位を検出する風呂水位検出部とを備え、水位検出部にて検出された水位が変化したときは、風呂循環ポンプを駆動して風呂温度検出部で浴槽温度を検出し、浴槽温度が所定温度以上のときは水を浴槽内へ供給し、浴槽温度が所定温度以下となるようにすることにより、別の給湯設備によって直接浴槽内へ高温水が供給された場合でも即時に湯温を検出することが可能となり、さらに、浴槽内の湯温が高温となった場合、浴槽内の湯温を即時に下げることで使用者の安全性を向上させることが可能となる。
【００２１】
第２の発明の貯湯式給湯機は、特に第１の発明において、水を浴槽内へ供給する動作を「あり」もしくは「なし」と選択できることにより、使用者が意図して浴槽内の温度を高めたかった場合に対応することが可能となる。
【００２２】
第３の発明の貯湯式給湯機は、特に第１または第２の発明において、給湯運転の指示／各種運転情報の表示を行うリモコン装置を備え、浴槽温度が所定温度以上のときは、リモコン装置の情報を表示する表示部に、浴槽温度が高いという情報を可視的に表示することにより、リモコンに表示された警告表示を使用者に気づかせることによって、使用者の安全性を向上させることが可能となる。
【００２３】
第４の発明の貯湯式給湯機は、特に第１または第２の発明において、音声を報知する報知手段を有するリモコン装置を備え、浴槽温度が所定温度以上のときは、前記報知手段で浴槽温度が高いという情報を聴覚的に報知することにより、リモコンより警告音が音声出力され、使用者に気づかせることによって、使用者の安全性を向上させることが可能となる。
【００２４】
以下、本発明の実施の形態について、図面を参照しながら説明する。なお、この実施の形態によって本発明が限定されるものではない。
【００２５】
（実施の形態１）
図１は、本実施の形態における貯湯式給湯機の構成図である。図１に示すように、湯を貯える貯湯タンク２０と、水を貯湯タンク２０に供給する給水口１０３と、浴槽へ湯を供給し貯湯タンク２０の上部に設けられた浴槽往き口１０４とを設けており、浴槽へ湯を供給できる構成となっている。
【００２６】
浴槽往き口１０４から浴槽までの間には、浴槽へ供給する湯の温度を設定温度にする風呂給湯混合弁２１と、浴槽２６への湯の供給の開閉を行う注湯弁２２が設けられており、注湯弁２２の開閉によって浴槽２６へ湯が供給される。そして風呂給湯混合弁２１の下流側には、風呂給湯混合弁２１で混合された湯の温度を検出する風呂給湯温度検出部２３が設けられており、風呂給湯温度検出部２３で検出される湯の温度が、設定温度となるように、風呂給湯混合弁２１が駆動される。
【００２７】
また、浴槽２６へ湯を供給するのとは別に、浴槽２６内の湯水を追い焚きするための熱交換器３０が設けられており、熱交換器３０は貯湯タンク２０内の高温水が流れる１次側回路と、浴槽２６内の湯水が流れる２次側回路で構成されている。
【００２８】
また、熱交換器３０における１次側回路には、貯湯タンク２０内の高温水が流入する熱交１次入り口１０５と、熱交換器３０から貯湯タンク２０へ出て行く熱交１次出口１０６を有し、一方、浴槽水が流れる２次側回路には、浴槽水の湯水を熱交換器３０に流入させる熱交２次入口１０７と、熱交換器３０から浴槽２６へ出て行く熱交２次出口１０８を有している。
【００２９】
また、浴槽２６から２次側回路へ湯を供給する配管を風呂往き配管１０９とし、２次側回路から浴槽２６へ湯が戻ってくる配管を風呂戻り配管１１０としている。
【００３０】
そして、１次側回路には、前記浴槽往き口１０４とは別口として貯湯タンク２０の上方部に設けられた熱交換器往き口１１１から高温水が供給されるとともに、熱交換器３０で放熱した後の温水を戻すために、貯湯タンク２０の下方部に熱交換器戻り口１１２を設けており、熱交換器往き口１１１と熱交換器戻り口１１２の間で貯湯タンク２０内の高温水を循環させるタンク循環回路を形成している。タンク循環回路には、タンク内の湯水を循環させるタンク循環ポンプ３１が設けられている。
【００３１】
一方、２次側回路では、浴槽２６から風呂往き配管１０９を通って、低温水が熱交換器３０へ供給されるとともに、熱交換器３０で貯湯タンク２０の高温水から熱をもらい、再度風呂戻り配管１１０を通って浴槽２６へ戻る。
【００３２】
また２次側回路には、浴槽２６内の湯水を循環させる風呂循環ポンプ２７が設けられている。
【００３３】
また、風呂給湯混合弁２１から浴槽２６へ湯を供給する経路は、２次側回路へ接続されており、浴槽への湯張り時の湯張り経路は、２次側回路の風呂往き配管１０９と、風呂戻り配管１１０の両配管から、浴槽へ湯が供給されている。
【００３４】
以上のように構成された貯湯式給湯機について、以下、その動作および作用について説明する。
【００３５】
まず、風呂自動で風呂にお湯をはる時には、風呂給湯温度検出部２３が注湯弁２２の下流に設けられており、風呂給湯温度検出部２３のさらに下流側で、２次側回路に合流している。
【００３６】
そして、貯湯タンク２０の湯と水道水を風呂給湯混合弁２１で混合させるとともに、注湯弁２２を開き、風呂給湯温度検出部２３が設定温度になるように風呂給湯混合弁２１を調整して、風呂給湯経路２４と風呂給湯経路２５の２経路で浴槽２６に湯はりをする。
【００３７】
そして湯はりが完了し、風呂保温に入ると浴槽水吸い込み側の風呂循環ポンプ２７を作動させフロースイッチ２８で風呂にお湯があることを判断して風呂温度検出部２９が風呂設定温度より低い場合、熱交換器３０の一次側のタンク循環ポンプ３１を作動させ貯湯タンク２０の上部より熱交換器１次側循環経路３２にお湯を循環させ熱交換器３０の２次側循環経路３３のお湯へ熱交換して浴槽温度を上げ、熱交一次出口温度検出部３４、熱交換器３０の２次側出口の追い焚き温度検出部３５、風呂温度検出部２９の温度検出で最良の風呂追い焚きをする構成にしている。
【００３８】
ここまでは従来技術と同様の構成である。本発明では、風呂保温運転に移行された後、風呂水位検出部２０１を配置し、風呂水位検出部２０１にて水位を常時監視し、水位が変化した際（例えば増加した場合）、風呂循環ポンプ２７を作動させて、風呂温度検出部２９にて浴槽２６の温度を検出する。検出された湯温が所定温度以上、（例えば５０℃以上）であるときは風呂リモコン２０２へ高温警告信号を発する。
【００３９】
これにより、別の給湯設備によって直接浴槽２６内へ高温水が供給された場合でも即時に浴槽２６の湯温を検出することが可能となる。
【００４０】
また、高温警告信号を検出した際、風呂給湯混合弁２１より貯湯タンク内の高温水を混合せず、水を浴槽２６内へ供給し、所定値以下（例えば風呂リモコン２０２にてあらかじめ設定されてあった温度、もしくは、４８℃）となるようにする。また、浴槽２６内の温度が所定温度以下になった際、高温警告信号を停止する。
【００４１】
これにより、浴槽２６内の湯温が高温になった場合でも、浴槽２６内の湯温を即時に下げることで使用者の安先生を向上させることが可能となる。
【００４２】
また、上記の水を供給して浴槽２６の湯温を下げることを風呂リモコン２０２の設定で、あり／なし、と選択できることとする。
【００４３】
これにより、使用者が意図して浴槽２６内の温度を高めたかった場合に対応することが可能となる。
【００４４】
また、高温警告信号の出力によって、風呂リモコン２０２の表示部２０４に可視的に表示させる。（例えば、『風呂温度高温』など）これにより、風呂リモコン２０２の表示部２０４に表示された警告表示を使用者に気づかせることによって、使用者の安全性を向上させることが可能となる。
【００４５】
また、高温警告信号の出力によって、風呂リモコン２０２の報知手段である音声出力部２０３より音声で警告されるものである（例えば、『風呂温度があつくなっています』など）。
【００４６】
これにより、風呂リモコン２０２の音声出力部２０３より警告音が音声出力され、使用者に気づかせることによって、使用者の安全性を向上させることが可能となる。
【産業上の利用可能性】
【００４７】
以上のように、本発明にかかる貯湯式給湯機の構成は、熱源をヒートポンプ給湯機、電気ヒータや燃料電池を使用したコジェネレーションシステム、ガスなどを使用した様々な貯湯式給湯機等において利用することができる。
【符号の説明】
【００４８】
２１  風呂給湯混合弁
２２  注湯弁
２３  風呂給湯温度検出部
２６  浴槽
２７  風呂循環ポンプ
２８  フロースイッチ
２９  風呂温度検出部
２０１  風呂水位検出部
２０２  風呂リモコン
２０３  風呂リモコン音声出力部
２０４  風呂リモコン表示部
【図１】
2011080682.tif 000003
【図２】
2011080682.tif 000004